(57)【要約】  【課題】ダイヤル番号の誤認識を防止すること。  【解決手段】  ファクシミリ装置からのプッシュボタン信号で特定される番号を認識する第一ＰＢ信号認識部１１３Ａと、当該ブッシュボタン信号で特定される番号を認識する第二ＰＢ信号認識部１１９と、を備え、呼制御部１２２は、第一ＰＢ信号認識部１１３で特定されるダイヤル番号、が一致する場合に、一致したダイヤル番号を宛先として呼制御を行う。【選択図】図２
2010004291.tif 000002
【特許請求の範囲】
【請求項１】
ファクシミリ装置をネットワークに接続するための通信装置であって、
前記ファクシミリ装置からのプッシュボタン信号より番号を特定する第一ＰＢ信号認識部と、
前記ファクシミリ装置からのプッシュボタン信号より番号を特定する第二ＰＢ信号認識部と、
前記第一ＰＢ信号認識部で特定される番号、および、前記第二ＰＢ信号認識部で特定される番号、が一致する場合に呼制御を行う呼制御部と、
を備えることを特徴とする通信装置。
【請求項２】
請求項１に記載の通信装置であって、
前記第一ＰＢ信号認識部は、アナログ信号における前記プッシュボタン信号より番号を特定するものであり、
前記第二ＰＢ信号認識部は、デジタル信号における前記プッシュボタン信号より番号を特定するものであること、
を特徴とする通信装置。
【請求項３】
請求項１又は２に記載の通信装置であって、
前記呼制御部は、
前記第一ＰＢ信号認識部で特定される番号、および、前記第二ＰＢ信号認識部で特定される番号、が一致しない場合には、ファクシミリ通信を行うことができない旨を通知する信号を前記ファクシミリ装置に送信する処理を制御すること、
を特徴とする通信装置。
【請求項４】
請求項１又は２に記載の通信装置であって、
前記呼制御部は、
前記第一ＰＢ信号認識部で特定される番号、および、前記第二ＰＢ信号認識部で特定される番号、が一致しない場合には、前記第一ＰＢ信号認識部で特定される番号で認識されるダイヤル番号、および、前記第二ＰＢ信号認識部で特定される番号で認識されるダイヤル番号、の何れか一方に発呼する選択の入力を受け付ける処理を制御すること、
を特徴とする通信装置。
【請求項５】
ファクシミリ装置をネットワークに接続するための通信装置であって、
前記ファクシミリ装置より、ファクシミリ通信の宛先を特定する情報と、前記宛先の識別情報と、を特定するプッシュボタン信号の入力を受け付け、当該プッシュボタン信号より、前記宛先の識別情報を抽出し、記憶部に記憶する処理と、
前記プッシュボタン信号より前記宛先を特定する情報を抽出して、抽出された宛先に発呼を行う処理と、
発呼を行った宛先より、当該宛先の識別情報を含む応答信号を受信する処理と、
前記応答信号で特定される宛先の識別情報と、前記プッシュボタン信号で特定される宛先の識別情報と、が一致する場合に、発呼処理を継続し、前記応答信号で特定される宛先の識別情報と、前記プッシュボタン信号で特定される宛先の識別情報と、が一致する場合に、発呼処理を停止する処理と、を行う制御部を備えること、
を特徴とする通信装置。
【請求項６】
ファクシミリ装置をネットワークに接続するための通信装置であって、
前記ファクシミリ装置からのプッシュボタン信号より番号を特定するＰＢ信号認識部と、
前記ＰＢ信号認識部で特定される番号で呼制御を行う呼制御部と、を有し、
前記呼制御部は、前記ＰＢ信号認識部の動作保障時間を越えた場合に、前記ＰＢ信号認識部に基づく発信を停止することを特徴とする通信装置。
【請求項７】
ファクシミリ通信の宛先を特定する情報と、前記宛先の識別情報と、を特定する宛先情報の入力を受け付ける処理と、
前記宛先情報より、前記宛先の識別情報を抽出し、記憶部に記憶する処理と、
前記プッシュボタン信号より前記宛先を特定する情報を抽出して、抽出された宛先に発呼を行う処理と、
発呼を行った宛先より、当該宛先の識別情報を含む応答信号を受信する処理と、
前記応答信号で特定される宛先の識別情報と、前記プッシュボタン信号で特定される宛先の識別情報と、が一致する場合に、発呼処理を継続し、前記応答信号で特定される宛先の識別情報と、前記プッシュボタン信号で特定される宛先の識別情報と、が一致する場合に、発呼処理を停止する処理と、を行う制御部を備えること、
を特徴とするファクシミリ装置。
【請求項８】
プッシュボタンの押圧を検知することで、当該プッシュボタンで入力されたダイヤル番号を宛先として発呼を行うファクシミリ装置であって、
前記プッシュボタンの押圧を第一の周期で検知する第一ダイヤル認識部と、
前記プッシュボタンの押圧を、前記第一の周期とは異なる第二の周期で検知する第二ダイヤル認識部と、
前記第一ダイヤル認識部で特定されるダイヤル番号、および、前記第二ダイヤル認識部で特定されるダイヤル番号、が一致する場合に呼制御を行う制御部と、
を備えることを特徴とするファクシミリ装置。
【発明の詳細な説明】
【技術分野】
【０００１】
本発明は、ファクシミリ通信の誤ダイヤルを防止する技術に関する。
【背景技術】
【０００２】
ファクシミリ通信における誤発信を防止する技術として、例えば、特許文献１に記載の技術がある。
【０００３】
特許文献１に記載の技術は、発呼時に入力されたダイヤル番号を、記憶部に記憶されているダイヤル番号と、比較して、これらのダイヤル番号が一致する場合には入力されたダイヤル番号に発呼を行い、これらのダイヤル番号が一致しない場合には近似するダイヤル番号を表示部に表示するようにしている。
【０００４】
【特許文献１】特開平５−７２３７号公報
【発明の開示】
【発明が解決しようとする課題】
【０００５】
特許文献１に記載の技術は、入力時のダイヤルミスを防止することはできるが、入力されたダイヤル番号を装置側で誤認識してしまうことや、誤認識したダイヤルで発信してしまうこと、を防止することができない。
【０００６】
そこで、本発明は、ダイヤル番号の誤認識を防止すること、若しくは、誤認識したダイヤルでの発信を防止すること、を目的とする。
【課題を解決するための手段】
【０００７】
以上の課題を解決するために、本発明は、ダイヤル番号を複数の箇所で検出する。
【０００８】
例えば、本発明は、ファクシミリ装置をネットワークに接続するための通信装置であって、前記ファクシミリ装置からのプッシュボタン信号より番号を特定する第一ＰＢ信号認識部と、前記ファクシミリ装置からのプッシュボタン信号より番号を特定する第二ＰＢ信号認識部と、前記第一ＰＢ信号認識部で特定される番号、および、前記第二ＰＢ信号認識部で特定される番号、が一致する場合に呼制御を行う呼制御部と、を備えることを特徴とする。
【０００９】
また、本発明は、ＰＢ信号認識部の動作保障時間に応じて、発信を規制する。
【００１０】
例えば、本発明は、ファクシミリ装置をネットワークに接続するための通信装置であって、前記ファクシミリ装置からのプッシュボタン信号より番号を特定するＰＢ信号認識部と、前記ＰＢ信号認識部で特定される番号で呼制御を行う呼制御部と、を有し、前記呼制御部は、前記ＰＢ信号認識部の動作保障時間を越えた場合に、前記ＰＢ信号認識部に基づく発信を停止することを特徴とする。
【発明の効果】
【００１１】
以上のように、本発明によれば、ダイヤル番号の誤認識を防止すること、若しくは、誤認識したダイヤルでの発信を防止すること、ができる。
【発明を実施するための最良の形態】
【００１２】
図１は、本発明の第一の実施形態である通信システム１００の概略図である。
【００１３】
図示するように、通信システム１００は、通信装置１１０と、ファクシミリ装置（以下、ＦＡＸという）１３０と、を備えており、ＦＡＸ１３０は、通信装置１１０を介して、ネットワーク１８０に接続されている通信端末１７０との間でファクシミリ通信を行うことができるようにされている。
【００１４】
なお、電話端末１５０やパーソナルコンピュータ１６０についても、通信装置１１０を介して、ネットワーク１８０に接続することができるようにされている。
【００１５】
図２は、本発明の第一の実施形態における通信装置１１０の概略図である。
【００１６】
図示するように、通信装置１１０は、アナログポート１１１Ａ〜１１１Ｃ（特に各々を区別しない場合には、アナログポート１１１という）と、ＳＬＩＣ（Subscriber Line Interface Circuit）１１２Ａ〜１１２Ｃ（特に各々を区別しない場合には、ＳＬＩＣ１１２という）と、第一ＰＢ信号認識部１１３Ａ〜１１３Ｃ（特に各々を区別しない場合には、第一ＰＢ信号認識部１１３という）と、コーデック１１４Ａ〜１１４Ｃ（特に各々を区別しない場合には、コーデック１１４という）と、記憶部１１５と、制御部１１７と、ＷＡＮポート１２５と、を備える。
【００１７】
アナログポート１１１は、一般加入者回線用の機器を接続するためのインターフェースである。
【００１８】
ＳＬＩＣ１１２は、２線−４線変換処理等を行う。
【００１９】
第一ＰＢ信号認識部１１３は、ＳＬＩＣ１１２から出力されたＰＢ（Push Button）信号より、ダイヤル番号を特定して、制御部１１７に出力する。
【００２０】
コーデック１１４は、符号化処理又は復号化処理等を行う。
【００２１】
記憶部１１５は、通信装置１１０での処理に必要な情報を記憶する。
【００２２】
制御部１１７は、全体制御部１１８と、第二ＰＢ信号認識部１１９と、比較部１２０と、アナログ制御部１２１と、呼制御部１２２と、通信制御部１２３と、を備える。
【００２３】
全体制御部１１８は、通信装置１１０での処理を全体的に制御する。
【００２４】
第二ＰＢ信号認識部１１９は、コーデック１１４を介してデジタル化されたＰＢ信号よりダイヤル番号を特定して、比較部１２０に出力する処理を行う。
【００２５】
比較部１２０は、第一ＰＢ信号認識部１１３で特定されたダイヤル番号と、第二ＰＢ信号認識部１１９で特定されたダイヤル番号と、を比較する処理と、比較結果（一致又は不一致）を特定する情報を呼制御部１２２に出力する処理と、を行う。
【００２６】
アナログ制御部１２１は、アナログ信号の生成、送出等の制御を行う。
【００２７】
例えば、アナログ制御部１２１は、ＢＴ（Busy Tone）やＲＢＴ（Ringing Back Tone）等の各種トーン信号を生成し、ＳＬＩＣ１１２及びアナログポート１１１を介して出力する処理を行う。
【００２８】
また、アナログ制御部１２１は、ナンバーディスプレイ用の信号やダイヤル引用の信号をＳＬＩＣ１１２及びアナログポート１１１を介して出力する処理を行う。
【００２９】
呼制御部１２２は、特定のプロトコル、例えば、ＳＩＰ（Session Initiation Protocol）に従った呼制御を行うとともに、第一ＰＢ信号認識部１１３又は第二ＰＢ信号認識部１１９の動作可能時間（寿命：正常動作を保証するものではない）をカウントし、所定の時間（第一ＰＢ信号認識部１１３又は第二ＰＢ信号認識部１１９の動作保障時間）経過した場合には、第一ＰＢ信号認識部１１３又は第二ＰＢ信号認識部１１９に基づく発信を停止する（行わない）処理を行う。また、予め動作保障時間を固定に設定しておき、動作保障時間に達した場合に、第一ＰＢ信号認識部１１３又は第二ＰＢ信号認識部１１９に基づく発信を停止するようにしてもよい。
【００３０】
なお、動作可能時間及び動作保証時間のカウントの始期は、製造後の最初の電源投入より行い、所定の時間である動作保障時間の設定は、動作可能時間以内で任意で設定可能とすることが望ましい。例えば、動作可能時間を１０年とした場合に、任意に動作保証時間を設定できるので、ＦＡＸの誤送信がある程度許容（公開情報の送信のみ等）されるような場合には、動作保障時間を動作可能時間と同じ１０年に設定し、誤送信が許されないような場合には、動作保障時間を５年に設定するといった具合に、職種等により本発信停止機能の動作開始時期を使いわけることが可能となる。
【００３１】
従来のＰＢ信号誤認識は、ＰＢ信号認識部内のＬＳＩや、そのＬＳＩ周辺回路の劣化によるものが考えられるが、劣化によりその動作（ＰＢ信号の認識）を停止するようなことはなく、誤認識するような状態（半死状態）であっても動作を継続してしまい、その誤認識したＰＢ信号での発信を行ってしまうことが問題であった。本発明は、ＰＢ信号認識部の寿命に関係する時間により、例えＰＢ信号認識部がなんらかのＰＢ信号を認識したとしても発信を停止させるようにしたので、誤接続を防止することが可能になるものである。
【００３２】
また、本実施形態においては、呼制御部１２２は、比較部１２０からの比較結果を特定する情報の入力を受け付け、当該比較結果が不一致であった場合には、アナログ制御部１２１に、アナログポート１１１を介して、ＢＴ信号を出力するよう指示する処理を行う。
【００３３】
通信制御部１２３は、通信装置１１０で行う通信を制御する。
【００３４】
例えば、デジタル制御部１２１は、ＲＴＰ（Real-time Transport Protocol）に従った音声信号の制御等を行う。
【００３５】
ＷＡＮポート１２５は、ネットワーク１８０を介して情報を送受信するためのインターフェースである。
【００３６】
ＦＡＸ１３０は、ファクシミリ通信を行う装置であり、公知のものを使用すればよいため、詳細な説明は省略する。
【００３７】
図３は、ＦＡＸ１３０より発呼を行う際の処理を示すシーケンス図である。ここで、図３のシーケンスでは、ＦＡＸ１３０のオペレータは、ダイヤル番号「２００」の宛先にファクシミリ通信を行うものとする。
【００３８】
まず、ＦＡＸ１３０のオペレータは、ファクシミリ通信を行うために、受話器をあげる等の操作によりオフフックを行い（Ｓ１０）、ＦＡＸ１３０は、オフフック信号を通信装置１１０に送信する（Ｓ１１）。
【００３９】
このようなオフフック信号を受信した通信装置１１０では、呼制御部１２２が、アナログ制御部１２１にＤＴ（Dial Tone）信号を送出するよう指示を出し、アナログ制御部１２１は、ＦＡＸ１３０が接続されているＳＬＩＣ１１２及びアナログポート１１１を介して、ＤＴ信号をＦＡＸ１３０に送信する（Ｓ１２）。
【００４０】
そして、ＦＡＸ１３０は、オペレータのボタン操作等により番号「２」の入力を受け付け（Ｓ１３）、「２」の番号を特定するＰＢ(Push Button)信号を通信装置１１０に送信する（Ｓ１４）。ＰＢ信号は、ＤＴＭＦ（Dial Tone Multi Frequency）信号とも称され、プッシュ式の電話機のダイヤルボタン等を押下する度に、発信される音（トーン）信号である。
【００４１】
このようなＰＢ信号を受信した通信装置１１０では、第一ＰＢ信号認識部１１３が、アナログのＰＢ信号より番号を特定して、制御部１１７に出力する。また、制御部１１７の第二ＰＢ信号認識部１１９がデジタル化されたＰＢ信号より番号を特定して、比較部１２０に出力する。そして、比較部１２０において、第一ＰＢ信号認識部１１３で特定された番号と、第二ＰＢ信号認識部１１９で特定された番号と、が比較される（Ｓ１５）。ここでは、これらの番号が「２」で一致しているものとし、比較部１２０は一致する旨を特定する情報を呼制御部１２２に出力する。
【００４２】
次に、ＦＡＸ１３０は、オペレータのボタン操作等により番号「０」の入力を受け付け（Ｓ１６）、「０」の番号を特定するＰＢ信号を通信装置１１０に送信する（Ｓ１７）。
【００４３】
このようなＰＢ信号を受信した通信装置１１０では、第一ＰＢ信号認識部１１３が、アナログのＰＢ信号より番号を特定して、制御部１１７に出力する。また、制御部１１７の第二ＰＢ信号認識部１１９がデジタル化されたＰＢ信号より番号を特定して、比較部１２０に出力する。そして、比較部１２０において、第一ＰＢ信号認識部１１３で特定された番号と、第二ＰＢ信号認識部１１９で特定された番号と、が比較される（Ｓ１８）。ここでは、これらの番号が「０」で一致しているものとし、比較部１２０は一致する旨を特定する情報を呼制御部１２２に出力する。
【００４４】
次に、ＦＡＸ１３０は、オペレータのボタン操作等により番号「０」の入力を受け付け（Ｓ１９）、「０」の番号を特定するＰＢ信号を通信装置１１０に送信する（Ｓ２０）。
【００４５】
このようなＰＢ信号を受信した通信装置１１０では、第一ＰＢ信号認識部１１３が、アナログのＰＢ信号より番号を特定して、制御部１１７に出力する。また、制御部１１７の第二ＰＢ信号認識部１１９がデジタル化されたＰＢ信号より番号を特定して、比較部１２０に出力する。そして、比較部１２０において、第一ＰＢ信号認識部１１３で特定された番号と、第二ＰＢ信号認識部１１９で特定された番号と、が比較される（Ｓ２１）。なお、ここでは、これらの番号が一致していないものとする。
【００４６】
比較部１２０は、第一ＰＢ信号認識部１１３で特定された番号と、第二ＰＢ信号認識部１１９で特定された番号と、が一致しない場合には、一致しない旨を特定する情報を呼制御部１２２に出力し、呼制御部１２２は、アナログ制御部１２１に指示することで、ＦＡＸ１３０にＢＴ信号を送出する（Ｓ２２）。
【００４７】
なお、第一ＰＢ信号認識部１１３で特定された番号と、第二ＰＢ信号認識部１１９で特定された番号と、が全て一致して、ダイヤル番号を特定することができた場合には、呼制御部１２２は、特定されたダイヤル番号を宛先として、ＳＩＰに従った呼制御を行う。この場合において、仮に、第一ＰＢ信号認識部１１３又は第二ＰＢ信号認識部１１９の動作保障時間を越えていた場合には、後述するＳ２２と同様にＦＡＸ１３０にＢＴ信号を送出する。
【００４８】
このように、通信装置１１０では、ＦＡＸ１３０から送信されてきたＤＴ信号を複数箇所（本実施形態では、２箇所）で特定し、これらが一致する場合に、呼制御を行うため、ＰＢ信号を認識する装置が誤認識した場合には発呼がなされず、誤送信を防止することができる。また、第一ＰＢ信号認識部１１３又は第二ＰＢ信号認識部１１９の動作保障時間を経過しているような場合にも、ＰＢ信号の認識、発信動作を行わないので誤発信を防止することができる。
【００４９】
第一ＰＢ信号認識部１１３又は第二ＰＢ信号認識部１１９の動作保障時間を越えたときの動作は、オフフック信号やＰＢ信号を受信した場合に、ＢＴ信号を送出し、第一ＰＢ信号認識部１１３又は第二ＰＢ信号認識部１１９の状態（使えなくなった状態）をユーザに伝えるものである。この動作は、第一ＰＢ信号認識部１１３又は第二ＰＢ信号認識部１１９の数（単数、複数）によらない。
【００５０】
呼制御部１２２が、第一ＰＢ信号認識部１１３又は第二ＰＢ信号認識部１１９の動作保障時間を経過している場合に発信動作を行わないものは、電話端末１５０、ＦＡＸ１３０等のように通信装置１１０のアナログポート１１１に収容されるＰＢ信号方式の機器である。すなわち、第一ＰＢ信号認識部１１３又は第二ＰＢ信号認識部１１９により認識したダイヤル発信を停止するものであり、収容するパーソナルコンピュータ１６０、ＯＤインターフェースの機器（交換機）、ＤＰ信号を発生する機器（ＤＰ信号方式の電話機）等の発信をも規制するものではない。
【００５１】
また、図３のステップＳ２２では、ＢＴ信号をＦＡＸ１３０に送信するようにしているが、このような態様に限定されるわけではなく、例えば、誤認識されたことを特定する音声信号（例えば、「ダイヤルが正常に認識されませんでした。おかけ直し下さい。」といったメッセージを特定する音声信号）や誤認識した場合に使用される特定のトーン信号を記憶部１１５に記憶しておき、アナログ制御部１２１がこのような音声信号又はトーン信号を取得して、ＦＡＸ１３０に送信するようにしてもよい。
【００５２】
図４は、ＦＡＸ１３０より発呼を行う際の処理の変形例を示すシーケンス図である。図３では、番号が入力される毎に、入力された番号をＦＡＸ１３０から通信装置１１０に送信するようにしているが、図４に示すシーケンスでは、入力された番号をＦＡＸ１３０に記憶しておき、オペレータより送信指示の入力を受け付けてから、ダイヤルされた番号を送信するようにしている。
【００５３】
まず、ＦＡＸ１３０は、オペレータのボタン操作等により番号「２」の入力を受け付ける（Ｓ３０）。このようにして受け付けた番号はＦＡＸ１３０の記憶部（図示せず）に記憶される。
【００５４】
次に、ＦＡＸ１３０は、オペレータのボタン操作等により番号「０」の入力を受け付ける（Ｓ３１）。このようにして受け付けた番号はＦＡＸ１３０の記憶部（図示せず）に記憶される。
【００５５】
次に、ＦＡＸ１３０は、オペレータのボタン操作等により番号「０」の入力を受け付ける（Ｓ３２）。このようにして受け付けた番号はＦＡＸ１３０の記憶部（図示せず）に記憶される。
【００５６】
そして、ＦＡＸ１３０は、ステップＳ３０〜３２で入力されたダイヤル番号を表示部（図示せず）に表示して、ダイヤルされた番号をＦＡＸ１３０のオペレータに通知して、送信開始の指示の入力を受け付ける（Ｓ３３）。
【００５７】
そして、ステップＳ３３において、送信開始の指示の入力を受け付けると、ＦＡＸ１３０は、オフフック信号を通信装置１１０に送信する（Ｓ３４）。
【００５８】
このようなオフフック信号を受信した通信装置１１０では、呼制御部１２２が、アナログ制御部１２１にＤＴ信号を送出するよう指示を出し、アナログ制御部１２１は、ＦＡＸ１３０が接続されているＳＬＩＣ１１２及びアナログポート１１１を介して、ＤＴ信号をＦＡＸ１３０に送信する（Ｓ３５）。
【００５９】
そして、ＦＡＸ１３０は、ダイヤルされた番号を特定するＰＢ信号を順番に通信装置１１０に送信する。
【００６０】
まず、ＦＡＸ１３０は、「２」の番号を特定するＰＢ信号を通信装置１１０に送信する（Ｓ３６）。
【００６１】
このようなＰＢ信号を受信した通信装置１１０では、第一ＰＢ信号認識部１１３が、アナログのＰＢ信号より番号を特定して、制御部１１７に出力する。また、制御部１１７の第二ＰＢ信号認識部１１９がデジタル化されたＰＢ信号より番号を特定して、比較部１２０に出力する。そして、比較部１２０において、第一ＰＢ信号認識部１１３で特定された番号と、第二ＰＢ信号認識部１１９で特定された番号と、が比較される（Ｓ３７）。ここでは、これらの番号が「２」で一致しているものとし、比較部１２０は一致する旨を特定する情報を呼制御部１２２に出力する。
【００６２】
次に、ＦＡＸ１３０は、「０」の番号を特定するＰＢ信号を通信装置１１０に送信する（Ｓ３８）。
【００６３】
このようなＰＢ信号を受信した通信装置１１０では、第一ＰＢ信号認識部１１３が、アナログのＰＢ信号より番号を特定して、制御部１１７に出力する。また、制御部１１７の第二ＰＢ信号認識部１１９がデジタル化されたＰＢ信号より番号を特定して、比較部１２０に出力する。そして、比較部１２０において、第一ＰＢ信号認識部１１３で特定された番号と、第二ＰＢ信号認識部１１９で特定された番号と、が比較される（Ｓ３９）。ここでは、これらの番号が「０」で一致しているものとし、比較部１２０は一致する旨を特定する情報を呼制御部１２２に出力する。
【００６４】
次に、ＦＡＸ１３０は、「０」の番号を特定するＰＢ信号を通信装置１１０に送信する（Ｓ４０）。
【００６５】
このようなＰＢ信号を受信した通信装置１１０では、第一ＰＢ信号認識部１１３が、アナログのＰＢ信号より番号を特定して、制御部１１７に出力する。また、制御部１１７の第二ＰＢ信号認識部１１９がデジタル化されたＰＢ信号より番号を特定して、比較部１２０に出力する。そして、比較部１２０において、第一ＰＢ信号認識部１１３で特定された番号と、第二ＰＢ信号認識部１１９で特定された番号と、が比較される（Ｓ４１）。ここでは、これらの番号が一致していないものとする。
【００６６】
比較部１２０は、第一ＰＢ信号認識部１１３で特定された番号と、第二ＰＢ信号認識部１１９で特定された番号と、が一致しない場合には、一致しない旨を特定する情報を呼制御部１２２に出力し、呼制御部１２２は、アナログ制御部１２１に指示することで、ＦＡＸ１３０にＢＴ信号を送出する（Ｓ４２）。
【００６７】
なお、第一ＰＢ信号認識部１１３で特定された番号と、第二ＰＢ信号認識部１１９で特定された番号と、が全て一致して、ダイヤル番号を特定することができた場合には、呼制御部１２２は、特定されたダイヤル番号を宛先として、ＳＩＰに従った呼制御を行う。
【００６８】
また、図４のシーケンスでも、ステップＳ４２において、特定の音声信号やトーン信号を送信することができる。
【００６９】
次に、本発明の第二の実施形態について説明する。
【００７０】
本発明の第二の実施形態は、第一の実施形態と比較して、通信装置が異なっているため、以下異なっている点に関連する事項について説明する。
【００７１】
図５は、第二の実施形態における通信装置２１０の概略図である。
【００７２】
図示するように、通信装置２１０は、アナログポート１１１Ａ〜１１１Ｃ（特に各々を区別しない場合には、アナログポート１１１という）と、ＳＬＩＣ（Subscriber Line Interface Circuit）１１２Ａ〜１１２Ｃ（特に各々を区別しない場合には、ＳＬＩＣ１１２という）と、第一ＰＢ信号認識部１１３Ａ〜１１３Ｃ（特に各々を区別しない場合には、第一ＰＢ信号認識部１１３という）と、コーデック１１４Ａ〜１１４Ｃ（特に各々を区別しない場合には、コーデック１１４という）と、記憶部１１５と、制御部２１７と、ＷＡＮポート１２５と、スピーカ２２６と、を備え、第一の実施形態と比較して、制御部２１７での処理と、スピーカ２２６が備えられていることと、が異なっているため、以下これらの異なっている点に関連する事項について説明する。
【００７３】
制御部２１７は、全体制御部１１８と、第二ＰＢ信号認識部１１９と、比較部２２０と、アナログ制御部１２１と、呼制御部２２２と、通信制御部１２３と、を備え、第一の実施形態と比較して、比較部２２０及び呼制御部２２２が異なっているため、以下、これらに関連する事項について説明する。
【００７４】
比較部２２０は、第一ＰＢ信号認識部１１３で特定されたダイヤル番号と、第二ＰＢ信号認識部１１９で特定されたダイヤル番号と、を比較する処理と、比較結果（一致又は不一致）を特定する情報を呼制御部２２２に出力する処理と、を行う。
【００７５】
なお、本実施形態における比較部２２０は、第一ＰＢ信号認識部１１３から入力される番号と、第二ＰＢ信号認識部１１９から入力される番号と、を各々記憶し、特定のタイミング（例えば、各々から入力される番号が予め特定された桁数に達した場合等）で、これらのダイヤル番号を比較する。
【００７６】
呼制御部２２２は、ＳＩＰに従った呼制御を行う。
【００７７】
また、本実施形態においては、呼制御部２２２は、比較部２２０からの比較結果を特定する情報の入力を受け付け、当該比較結果が不一致であった場合には、スピーカ２２６に予め定められた音声を出力する処理を行う。
【００７８】
そして、本実施形態における呼制御部２２２は、ＦＡＸ１３０より予め定められた信号を受信することにより、ＦＡＸ１３０のオペレータにより選択されたダイヤル番号を宛先とする発呼処理を行う。
【００７９】
スピーカ２２６は、音声の出力を行う。
【００８０】
図６は、ＦＡＸ１３０より発呼を行う際の処理を示すシーケンス図である。ここで、図６のシーケンスでは、ＦＡＸ１３０のオペレータは、ダイヤル番号「２００」の宛先にファクシミリ通信を行うものとする。
【００８１】
まず、ＦＡＸ１３０は、オペレータのボタン操作等により番号「２」の入力を受け付ける（Ｓ５０）。このようにして受け付けた番号はＦＡＸ１３０の記憶部（図示せず）に記憶される。
【００８２】
次に、ＦＡＸ１３０は、オペレータのボタン操作等により番号「０」の入力を受け付ける（Ｓ５１）。このようにして受け付けた番号はＦＡＸ１３０の記憶部（図示せず）に記憶される。
【００８３】
次に、ＦＡＸ１３０は、オペレータのボタン操作等により番号「０」の入力を受け付ける（Ｓ５２）。このようにして受け付けた番号はＦＡＸ１３０の記憶部（図示せず）に記憶される。
【００８４】
そして、ＦＡＸ１３０は、ステップＳ５０〜５２で入力されたダイヤル番号を表示部（図示せず）に表示して、ダイヤルされた番号をＦＡＸ１３０のオペレータに通知して、送信開始の指示の入力を受け付ける（Ｓ５３）。
【００８５】
そして、ステップＳ５３において、送信開始の指示の入力を受け付けると、ＦＡＸ１３０は、オフフック信号を通信装置２１０に送信する（Ｓ５４）。
【００８６】
このようなオフフック信号を受信した通信装置２１０では、呼制御部２２２が、アナログ制御部１２１にＤＴ信号を送出するよう指示を出し、アナログ制御部１２１は、ＦＡＸ１３０が接続されているＳＬＩＣ１１２及びアナログポート１１１を介して、ＤＴ信号をＦＡＸ１３０に送信する（Ｓ５５）。
【００８７】
そして、ＦＡＸ１３０は、ダイヤルされた番号を特定するＰＢ信号を順番に通信装置２１０に送信する。
【００８８】
まず、ＦＡＸ１３０は、「２」の番号を特定するＰＢ信号を通信装置２１０に送信する（Ｓ５６）。
【００８９】
このようなＰＢ信号を受信した通信装置２１０では、第一ＰＢ信号認識部１１３が、アナログのＰＢ信号より番号を特定して、制御部２１７に出力する。また、制御部２１７の第二ＰＢ信号認識部１１９がデジタル化されたＰＢ信号より番号を特定して、比較部２２０に出力する。そして、比較部２２０は、第一ＰＢ信号認識部１１３で特定された番号と、第二ＰＢ信号認識部１１９で特定された番号と、を記憶部１１５に記憶する。
【００９０】
次に、ＦＡＸ１３０は、「０」の番号を特定するＰＢ信号を通信装置２１０に送信する（Ｓ５７）。
【００９１】
このようなＰＢ信号を受信した通信装置２１０では、第一ＰＢ信号認識部１１３が、アナログのＰＢ信号より番号を特定して、制御部２１７に出力する。また、制御部２１７の第二ＰＢ信号認識部１１９がデジタル化されたＰＢ信号より番号を特定して、比較部２２０に出力する。そして、比較部２２０は、第一ＰＢ信号認識部１１３で特定された番号と、第二ＰＢ信号認識部１１９で特定された番号と、を記憶部１１５に記憶する。
【００９２】
次に、ＦＡＸ１３０は、「０」の番号を特定するＰＢ信号を通信装置２１０に送信する（Ｓ５８）。
【００９３】
このようなＰＢ信号を受信した通信装置２１０では、第一ＰＢ信号認識部１１３が、アナログのＰＢ信号より番号を特定して、制御部２１７に出力する。また、制御部２１７の第二ＰＢ信号認識部１１９がデジタル化されたＰＢ信号より番号を特定して、比較部２２０に出力する。そして、比較部２２０において、第一ＰＢ信号認識部１１３で特定された番号と、第二ＰＢ信号認識部１１９で特定された番号と、が記憶される。
【００９４】
次に、記憶部１１５に記憶された番号の桁数が予め定められた桁数に達した場合等に、比較部２２０において、第一ＰＢ信号認識部１１３で特定されたダイヤル番号と、第二ＰＢ信号認識部１１９で特定されたダイヤル番号と、が比較される（Ｓ５９）。なお、ここでは、第一ＰＢ信号認識部１１３で特定されたダイヤル番号が「２００」で、第二ＰＢ信号認識部１１９で特定されたダイヤル番号が「２０１」で、これらの番号が一致していないものとする。
【００９５】
そして、比較部２２０は、第一ＰＢ信号認識部１１３で特定されたダイヤル番号と、第二ＰＢ信号認識部１１９で特定されたダイヤル番号と、が一致しない場合には、一致しない旨を特定する情報を呼制御部２２２に出力し、呼制御部２２２は、スピーカ２２６より予め定められた音声を出力する（Ｓ６０）。
【００９６】
ここで、ステップＳ６０で出力する音声は、第一ＰＢ信号認識部１１３で特定されたダイヤル番号、または、第二ＰＢ信号認識部１１９で特定されたダイヤル番号、の何れか一方（ここでは、第二ＰＢ信号認識部１１９で特定されたダイヤル番号とする）への発呼を選択するか否かの入力を要求するものとする。例えば、本実施形態においては、「２０１番にダイヤルします。よろしければ［♯］を、別の番号にダイヤルする場合は［＊］を入力してください。」との音声を出力する。
【００９７】
そして、本実施形態においては、ＦＡＸ１３０において、オペレータのボタン操作等により「＊」の入力を受け付け（Ｓ６１）、このようにして受け付けた「＊」を特定する信号が通信装置２１０に送信される（Ｓ６２）。
【００９８】
次に、「＊」を特定する信号を受信した通信装置２１０では、呼制御部２２２が、スピーカ２２６より予め定められた音声を出力する（Ｓ６３）。Ｓ６０及びＳ６３において、スピーカ２２６より出力される音声を、ＦＡＸ１３０に送信しＦＡＸ１３０のスピーカやハンドセットより出力させてもよい。
【００９９】
ここで、ステップＳ６３で出力する音声は、第一ＰＢ信号認識部１１３で特定されたダイヤル番号、または、第二ＰＢ信号認識部１１９で特定されたダイヤル番号、の何れか一方（ここでは、第一ＰＢ信号認識部１１３で特定されたダイヤル番号とする）への発呼を選択するか否かの入力を要求するものとする。例えば、本実施形態においては、「２００番にダイヤルします。よろしければ［♯］を、ダイヤルをやり直す場合は［＊］を入力してください。」との音声を出力する。
【０１００】
そして、本実施形態においては、ＦＡＸ１３０において、オペレータのボタン操作等により「♯」の入力を受け付け（Ｓ６４）、このようにして受け付けた「♯」を特定する信号が通信装置２１０に送信される（Ｓ６５）。
【０１０１】
このような「♯」を特定する信号を受信した通信装置２１０は、呼制御部２２２がＳＩＰに従って「２００」を宛先とする呼制御を行う。
【０１０２】
なお、ステップＳ６４で「＊」が入力された場合には、通信装置２１０は、記憶部１１５に記憶されているダイヤル番号を消去して処理を終了し、待機状態に移行する。
【０１０３】
以上のように、本実施形態によれば、通信装置２１０に備えられている複数のＰＢ信号認識部で認識したダイヤル番号が異なっている場合に、認識されたダイヤル番号の中から選択されたダイヤル番号に発呼を行うことが可能となる。
【０１０４】
次に、本発明の第三の実施形態について説明する。
【０１０５】
本発明の第三の実施形態は、第一の実施形態と比較して、通信装置及びＦＡＸが異なっているため、以下異なっている点に関連する事項について説明する。
【０１０６】
図７は、第三の実施形態における通信装置３１０の概略図である。
【０１０７】
図示するように、通信装置３１０は、アナログポート１１１Ａ〜１１１Ｃ（特に各々を区別しない場合には、アナログポート１１１という）と、ＳＬＩＣ（Subscriber Line Interface Circuit）１１２Ａ〜１１２Ｃ（特に各々を区別しない場合には、ＳＬＩＣ１１２という）と、第一ＰＢ信号認識部１１３Ａ〜１１３Ｃ（特に各々を区別しない場合には、第一ＰＢ信号認識部１１３という）と、コーデック１１４Ａ〜１１４Ｃ（特に各々を区別しない場合には、コーデック１１４という）と、記憶部１１５と、制御部３１７と、ＷＡＮポート１２５と、を備え、第一の実施形態と比較して、制御部３１７での処理が異なっているため、以下この異なっている点に関連する事項について説明する。
【０１０８】
制御部３１７は、全体制御部１１８と、第二ＰＢ信号認識部１１９と、比較部３２０と、アナログ制御部１２１と、呼制御部３２２と、通信制御部１２３と、を備え、第一の実施形態と比較して、比較部３２０及び呼制御部３２２が異なっているため、以下、これらに関連する事項について説明する。
【０１０９】
比較部３２０は、第一ＰＢ信号認識部１１３で特定されたダイヤル番号と、第二ＰＢ信号認識部１１９で特定されたダイヤル番号と、を比較する処理と、比較結果（一致又は不一致）を特定する情報を呼制御部３２２に出力する処理と、を行う。
【０１１０】
なお、本実施形態における比較部３２０は、第一ＰＢ信号認識部１１３から入力される番号と、第二ＰＢ信号認識部１１９から入力される番号と、を各々記憶し、特定のタイミング（例えば、各々から入力される番号が予め特定された桁数に達した場合等）で、これらのダイヤル番号を比較する。
【０１１１】
呼制御部３２２は、ＳＩＰに従った呼制御を行う。
【０１１２】
また、本実施形態においては、呼制御部３２２は、比較部３２０からの比較結果を特定する情報の入力を受け付け、当該比較結果が不一致であった場合には、不一致となったダイヤル番号のうちの少なくとも何れか一方を特定する情報をＦＡＸ３３０に送信し、送信した番号での発呼を行うか否かの選択を受け付ける。
【０１１３】
そして、本実施形態における呼制御部３２２は、ＦＡＸ３３０より予め定められた信号を受信することにより、ＦＡＸ３３０のオペレータにより選択されたダイヤル番号を宛先とする発呼処理を行う。
【０１１４】
図８は、本発明の第三の実施形態であるＦＡＸ３３０の概略図である。
【０１１５】
図示するように、ＦＡＸ３３０は、制御部３３１と、記憶部３３２と、操作部３３３と、ＮＣＵ（Network Control Unit）３３４と、ＳＷ（SWitch）部３３５と、モデム部３３６と、アナログポート３３７と、表示部３３８と、スキャナー部３３９と、を備える。
【０１１６】
制御部３３１は、ＦＡＸ３３０における処理の全体を制御する。例えば、スキャナー部３３９で読み取られた画像データを、操作部３３３で入力されたダイヤル番号に送信する処理等を制御する。
【０１１７】
また、本実施形態においては、制御部３３１は、通信装置３１０よりダイヤル番号を受信することにより、当該ダイヤル番号に発呼処理を行うか否かを確認する画像データを表示部３３８に表示する処理を行う。
【０１１８】
記憶部３３２は、ＦＡＸ３３０での処理に必要な情報を記憶する。
【０１１９】
操作部３３３は、ＦＡＸ３３０のオペレータより情報の入力を受け付けるテンキーやスタートキー等の入力装置である。
【０１２０】
ＮＣＵ３３４は、通信相手を呼び出すためにダイヤル信号を送出する処理を制御する。
【０１２１】
ＳＷ部３３５は、制御部３３１の指示に応じて、ＮＣＵ３３４と、モデム部３３６と、の間のスイッチングを行う。
【０１２２】
モデム部３３６は、スキャナー部３３９で読み取られた画像データの送信処理を行う。
【０１２３】
アナログポート３３７は、加入者回線用の機器を接続するためのインターフェースである。
【０１２４】
表示部３３８は、画像データや通信装置３１０が送信されてきたダイヤル番号等を表示する。
【０１２５】
スキャナー部３３９は、画像データの取り込みを行う。
【０１２６】
図９は、ＦＡＸ３３０より発呼を行う際の処理を示すシーケンス図である。ここで、図９のシーケンスでは、ＦＡＸ３３０のオペレータは、ダイヤル番号「２００」の宛先にファクシミリ通信を行うものとする。
【０１２７】
まず、ＦＡＸ３３０では、操作部３３３を介して、オペレータより番号「２」の入力を受け付ける（Ｓ７０）。このようにして受け付けた番号はＦＡＸ３３０の記憶部３３２に記憶される。
【０１２８】
次に、ＦＡＸ３３０では、操作部３３３を介して、オペレータより番号「０」の入力を受け付ける（Ｓ７１）。このようにして受け付けた番号はＦＡＸ３３０の記憶部３３２に記憶される。
【０１２９】
次に、ＦＡＸ３３０では、操作部３３３を介して、オペレータより番号「０」の入力を受け付ける（Ｓ７２）。このようにして受け付けた番号はＦＡＸ３３０の記憶部３３２に記憶される。
【０１３０】
そして、ＦＡＸ３３０の制御部３３１は、ステップＳ７０〜７２で入力されたダイヤル番号を表示部３３８に表示して、入力された番号をＦＡＸ３３０のオペレータに通知して、操作部３３３を介して、送信開始の指示の入力を受け付ける（Ｓ７３）。
【０１３１】
そして、ステップＳ７３において、送信開始の指示の入力を受け付けると、ＦＡＸ３３０は、オフフック信号を通信装置３１０に送信する（Ｓ７４）。
【０１３２】
このようなオフフック信号を受信した通信装置３１０では、呼制御部３２２が、アナログ制御部１２１にＤＴ信号を送出するよう指示を出し、アナログ制御部１２１は、ＦＡＸ３３０が接続されているＳＬＩＣ１１２及びアナログポート１１１を介して、ＤＴ信号をＦＡＸ３３０に送信する（Ｓ７５）。
【０１３３】
そして、ＦＡＸ３３０のＮＣＵ３３４は、ダイヤルされた番号を特定するＰＢ信号を順番に通信装置３１０に送信する。
【０１３４】
まず、ＦＡＸ３３０のＮＣＵ３３４は、「２」の番号を特定するＰＢ信号を通信装置３１０に送信する（Ｓ７６）。
【０１３５】
このようなＰＢ信号を受信した通信装置３１０では、第一ＰＢ信号認識部１１３が、アナログのＰＢ信号より番号を特定して、制御部３１７に出力する。また、制御部３１７の第二ＰＢ信号認識部１１９がデジタル化されたＰＢ信号より番号を特定して、比較部３２０に出力する。そして、比較部３２０は、第一ＰＢ信号認識部１１３で特定された番号と、第二ＰＢ信号認識部１１９で特定された番号と、を記憶部１１５に記憶する。
【０１３６】
次に、ＦＡＸ３３０のＮＣＵ３３４は、「０」の番号を特定するＰＢ信号を通信装置３１０に送信する（Ｓ７７）。
【０１３７】
このようなＰＢ信号を受信した通信装置３１０では、第一ＰＢ信号認識部１１３が、アナログ信号のＰＢ信号より番号を特定して、制御部３１７に出力する。また、制御部３１７の第二ＰＢ信号認識部１１９がデジタル化されたＰＢ信号より番号を特定して、比較部３２０に出力する。そして、比較部２２０は、第一ＰＢ信号認識部１１３で特定された番号と、第二ＰＢ信号認識部１１９で特定された番号と、を記憶部１１５に記憶する。
【０１３８】
次に、ＦＡＸ３３０のＮＣＵ３３４は、「０」の番号を特定するＰＢ信号を通信装置３１０に送信する（Ｓ７８）。
【０１３９】
このようなＰＢ信号を受信した通信装置３１０では、第一ＰＢ信号認識部１１３が、アナログのＰＢ信号より番号を特定して、制御部３１７に出力する。また、制御部３１７の第二ＰＢ信号認識部１１９がデジタル化されたＰＢ信号より番号を特定して、比較部３２０に出力する。そして、比較部３２０は、第一ＰＢ信号認識部１１３で特定された番号と、第二ＰＢ信号認識部１１９で特定された番号と、を記憶部１１５に記憶する。
【０１４０】
次に、記憶部１１５に記憶された番号の桁数が予め定められた桁数に達した場合等に、比較部３２０において、第一ＰＢ信号認識部１１３で特定されたダイヤル番号と、第二ＰＢ信号認識部１１９で特定されたダイヤル番号と、が比較される（Ｓ７９）。なお、ここでは、第一ＰＢ信号認識部１１３で特定されたダイヤル番号が「２００」で、第二ＰＢ信号認識部１１９で特定されたダイヤル番号が「２０１」で、これらの番号が一致していないものとする。
【０１４１】
そして、比較部３２０は、第一ＰＢ信号認識部１１３で特定されたダイヤル番号と、第二ＰＢ信号認識部１１９で特定されたダイヤル番号と、が一致しない場合には、一致しない旨を特定する情報を呼制御部３２２に出力し、呼制御部３２２は、第一ＰＢ信号認識部１１３で特定されたダイヤル番号と、第二ＰＢ信号認識部１１９で特定されたダイヤル番号と、に優先順位を定めておき、これらのダイヤル番号のうち優先順位が高いものから順に、当該ダイヤル番号を特定する信号を、アナログ制御部１２１を介して、ＦＡＸ３３０に送信する（Ｓ８０）。
【０１４２】
なお、ここでは、第二ＰＢ信号認識部１１９で特定されたダイヤル番号の優先順位が高いものとし、「２０１」のダイヤル番号を特定する信号をＦＡＸ３３０に送信する。
【０１４３】
そして、ＦＡＸ３３０の制御部３３１は、通信装置３１０から受信したダイヤル番号を表示部３３８に表示するとともに、表示されたダイヤル番号を宛先とするか否かの選択の入力を要求する画面（例えば、「この番号にダイヤルします。よろしければ［♯］を、別の番号にダイヤルする場合は［＊］を入力してください。」といった文字列を有する画面）を表示部３３８に表示する（Ｓ８１）。
【０１４４】
ここでは、ＦＡＸ３３０のオペレータより、操作部３３３を介して「＊」の入力を受け付けるものとし（Ｓ８２）、ＦＡＸ３３０のＮＣＵ３３４は、受け付けた「＊」を特定する信号を通信装置３１０に送信する（Ｓ８３）。
【０１４５】
次に、「＊」を特定する信号を受信した通信装置３１０では、呼制御部３２２が、アナログ制御部１２１を介して、次の優先順位である第一ＰＢ信号認識部１１３で特定されたダイヤル番号を特定する情報をＦＡＸ３３０に送信する（Ｓ８４）。
【０１４６】
そして、ＦＡＸ３３０の制御部３３１は、通信装置３１０から受信したダイヤル番号を表示部３３８に表示するとともに、表示されたダイヤル番号を宛先とするか否かの選択の入力を要求する画面（例えば、「この番号にダイヤルします。よろしければ［♯］を、やり直す場合は［＊］を入力してください。」といった文字列を有する画面）を表示部３３８に表示する（Ｓ８５）。
【０１４７】
ここでは、ＦＡＸ３３０のオペレータより、操作部３３３を介して「♯」の入力を受け付けるものとし（Ｓ８６）、ＦＡＸ３３０のＮＣＵ３３４は、受け付けた「♯」を特定する信号を通信装置３１０に送信する（Ｓ８７）。
【０１４８】
このような「♯」を特定する信号を受信した通信装置３１０は、呼制御部３２２がＳＩＰに従って「２００」を宛先とする呼制御を行う（Ｓ８８）。
【０１４９】
なお、ステップＳ８６で「＊」が入力された場合には、通信装置３１０は、記憶部１１５に記憶されているダイヤル番号を消去して処理を終了し、待機状態に移行する。
【０１５０】
以上のように、本実施形態によれば、通信装置３１０に備えられている複数のＰＢ信号認識部で認識したダイヤル番号が異なっている場合に、認識されたダイヤル番号の中から選択されたダイヤル番号に発呼を行うことが可能となる。
【０１５１】
なお、図９のステップＳ８１やステップＳ８５といった処理は、通信装置３１０から送られてくる信号に特定の識別子が負荷されている場合や、ＰＢ信号を通信装置３１０に送信してから特定の時間内に通信装置３１０からダイヤル番号を特定する信号が送られてきた場合等に行えばよい。
【０１５２】
また、図９のステップＳ８１及びステップＳ８５では、表示部３３８にダイヤル番号と特定の画像データを表示するようにしているが、このような態様に限定されず、例えば、同様の情報をスピーカ（図示せず）より音声として出力するようにしてもよい。
【０１５３】
次に、第四の実施形態について説明する。
【０１５４】
本発明の第四の実施形態は、第一の実施形態と比較して、通信装置が異なっているため、以下異なっている点に関連する事項について説明する。
【０１５５】
図１０は、第四の実施形態における通信装置４１０の概略図である。
【０１５６】
図示するように、通信装置４１０は、アナログポート１１１Ａ〜１１１Ｃ（特に各々を区別しない場合には、アナログポート１１１という）と、ＳＬＩＣ（Subscriber Line Interface Circuit）１１２Ａ〜１１２Ｃ（特に各々を区別しない場合には、ＳＬＩＣ１１２という）と、第一ＰＢ信号認識部１１３Ａ〜１１３Ｃ（特に各々を区別しない場合には、第一ＰＢ信号認識部１１３という）と、コーデック１１４Ａ〜１１４Ｃ（特に各々を区別しない場合には、コーデック１１４という）と、記憶部１１５と、制御部４１７と、ＷＡＮポート１２５と、を備え、第一の実施形態と比較して、制御部４１７での処理が異なっているため、以下この異なっている点に関連する事項について説明する。
【０１５７】
制御部４１７は、全体制御部１１８と、第二ＰＢ信号認識部１１９と、比較部１２０と、アナログ制御部１２１と、呼制御部４２２と、通信制御部１２３と、応答判定部４２４と、を備え、第一の実施形態と比較して、呼制御部４２２での処理と、応答判定部４２４が設けられている点と、が異なっているため、以下、これらに関連する事項について説明する。
【０１５８】
呼制御部４２２は、第一の実施形態と同様に、比較部１２０からの比較結果を特定する情報の入力を受け付け、当該比較結果が不一致であった場合には、アナログ制御部１２１にＢＴ信号を、アナログポート１１１を介して出力するよう指示する処理を行う。この処理については第一の実施形態と同様であるため、詳細な説明を省略する。
【０１５９】
また、本実施形態における呼制御部４２２は、ＩＴＵ−Ｔ  Ｔ．３０に定める「一般交換電話網における文書ファクシミリ電送手順」に従った電送を制御する。
【０１６０】
応答判定部４２４は、送信元のＦＡＸ１３０から送られてくる通信端末１７０の識別情報と、通信端末１７０から送られてくる当該通信端末１７０の識別情報と、を比較して、これらが一致しない場合には、呼制御部４２２に指示を出し、通信端末１７０との間の接続を切断する。
【０１６１】
なお、これらの識別情報が一致する場合には、応答判定部４２４は、このような切断処理を行わずにここでの処理を終了する。
【０１６２】
図１１は、ＦＡＸ１３０より発呼を行う際の処理を示すシーケンス図である。ここで、図６のシーケンスでは、ＦＡＸ１３０のオペレータは、通信端末１７０にファクシミリ通信を行うものとし、通信端末１７０の電話番号は「２００」、識別情報（ＩＤ）は「１００１００」であるとする。
【０１６３】
まず、ＦＡＸ１３０は、オペレータのボタン操作等により番号「２００＊１００１００」の入力を受け付ける（Ｓ９０）。ここで、本実施形態においては、ＦＡＸ１３０で入力する番号は、「［宛先の電話番号］＊［宛先の識別情報］」にされているが、このような態様に限定されず、宛先の電話番号と宛先の識別情報とを区別することのできる用にされていれば、どのような番号体系であってもよい。例えば、宛先の電話番号が特定の桁数である場合には、「［宛先の電話番号］［宛先の識別情報］」としてこれらを連結してもよく（＊を削除）、また、宛先の識別情報が特定の桁数である場合には、例えば、「［宛先の識別情報］［宛先の電話番号］」としてこれらを連結してもよい（＊を削除）。さらに、本実施形態においては、宛先の電話番号と宛先の識別情報と、の間を区別するために「＊」を使用しているが、このような態様に限定されずこれらを区別することのできる記号や数字列、例えば、「♯」等を使用することも可能である。
【０１６４】
そして、ＦＡＸ１３０は、ステップＳ９０で入力された番号を表示部（図示せず）に表示して、ダイヤルされた番号をＦＡＸ１３０のオペレータに通知して、送信開始の指示の入力を受け付ける（Ｓ９１）。
【０１６５】
そして、ステップＳ９１において、送信開始の指示の入力を受け付けると、ＦＡＸ１３０は、オフフック信号を通信装置４１０に送信する（Ｓ９２）。
【０１６６】
このようなオフフック信号を受信した通信装置４１０では、呼制御部４２２が、アナログ制御部１２１にＤＴ信号を送出するよう指示を出し、アナログ制御部１２１は、ＦＡＸ１３０が接続されているＳＬＩＣ１１２及びアナログポート１１１を介して、ＤＴ信号をＦＡＸ１３０に送信する（Ｓ９３）。
【０１６７】
そして、ＦＡＸ１３０は、ダイヤルされた番号を特定するＰＢ信号を順番に通信装置４１０に送信する（Ｓ９４）。
【０１６８】
次に、ＦＡＸ１３０からダイヤルされた番号を受信した通信装置４１０では、呼制御部４２２が受信した番号から、宛先の識別情報に該当する部分（１００１００）を抽出して応答判定部４２４に出力し、応答判定部４２４は、記憶部１１５に記憶する（Ｓ９５）。
【０１６９】
そして、呼制御部４２２は、ＷＡＮポート１２５を介して、受信した番号から宛先の電話番号を抽出して、宛先の電話番号に発呼信号を送信する（Ｓ９６）。
【０１７０】
このような発呼信号を受信した通信端末１７０は、通信装置４１０に着信信号を送信し（Ｓ９７）、通信装置４１０の呼制御部４２２は受信した着信信号をＦＡＸ１３０に転送する（Ｓ９８）。
【０１７１】
着信信号を受信したＦＡＸ１３０は、ＣＮＧ信号を通信装置４１０に送信し（Ｓ９９）、通信装置４１０の呼制御部４２２は受信したＣＮＧ信号を通信端末１７０に転送する（Ｓ１００）。
【０１７２】
そして、通信端末１７０は、ＣＥＤ信号を通信装置４１０に送信し（Ｓ１０１）、通信装置４１０の呼制御部４２２は受信したＣＥＤ信号をＦＡＸ１３０に転送する（Ｓ１０２）。
【０１７３】
また、通信端末１７０は、ＮＦＳ信号に自端末の識別情報（ここでは、「１００１００」）を含めて、通信装置４１０に送信する（Ｓ１０３）。
【０１７４】
このようなＮＦＳ信号を受信した通信装置４１０では、呼制御部４２２がＮＦＳ信号に含まれている通信端末１７０の識別情報を抽出し、応答判定部４２４に出力する。このような識別情報の入力を受けた応答判定部４２４は、入力された識別情報と、ステップＳ９５で記憶した識別情報と、が一致するか否かを判定する（Ｓ１０４）。ここで、これらの識別情報が一致する場合には、呼制御部４２２は、ＩＴＵ−Ｔ  Ｔ．３０に定める「一般交換電話網における文書ファクシミリ電送手順」に従って電送処理を継続するが、ここでは、これらの識別情報は一致しないものとする。
【０１７５】
ステップＳ１０４において、識別情報が一致しない場合には、通信装置４１０の呼制御部４２２は、以降の呼制御を停止することで、回線を切断する（Ｓ１０５）。例えば、ＦＡＸ１３０にＮＦＳ信号を送信せず、また、ＦＡＸ１３０から受信するＤＳＣ信号等を通信端末１７０に送信しないようにすることで、ＦＡＸ１３０及び通信端末１７０はタイムアウトにより回線を切断する（Ｓ１０６、Ｓ１０７）。
【０１７６】
以上のように、本実施形態によれば、ファクシミリ通信の通信相手からの識別情報が、ＦＡＸ１３０のオペレータが入力した識別情報と一致しない場合には、通信が行われないため、通信装置４１０の誤認識による誤送信を防止することができる。
【０１７７】
なお、以上に記載した実施形態においては、ＦＡＸ１３０のオペレータより識別情報の入力を受け付けたが、このような態様に限定されず、例えば、ＦＡＸ１３０の記憶部（図示せず）に電話番号に対応する識別情報を記憶しておき、当該識別情報を電話番号とともに通信装置４１０に送信するようにしてもよく、また、電話番号に対応する識別情報を通信装置４１０の記憶部１１５に予め記憶しておき、ＦＡＸ１３０からは電話番号が送信されてくるようにしてもよい。
【０１７８】
また、以上に記載した実施形態は、第一の実施形態での処理に図１１に示す処理を追加するようにしているが、このような態様に限定されず、例えば、第二の実施形態又は第三の実施形態での処理に図１１に示す処理を追加するようにしてもよい。
【０１７９】
次に、第五の実施形態について説明する。
【０１８０】
本発明の第五の実施形態は、第一の実施形態と比較して、ＦＡＸが異なっているため、以下異なっている点に関連する事項について説明する。
【０１８１】
図１２は、本発明の第五の実施形態で使用されるＦＡＸ５３０の概略図である。
【０１８２】
図示するように、ＦＡＸ５３０は、制御部５３１と、記憶部５３２と、操作部５３３と、ＮＣＵ５３４と、ＳＷ部５３５と、モデム部５３６と、アナログポート５３７と、表示部５３８と、スキャナー部５３９と、応答判定部５４０と、を備える。
【０１８３】
制御部５３１は、ＦＡＸ５３０における処理の全体を制御する。
【０１８４】
記憶部５３２は、ＦＡＸ５３０での処理に必要な情報を記憶する。特に、本実施形態においては、操作部５３３を介して入力された、ファクシミリ通信の相手先である通信端末１７０の識別情報を記憶する。
【０１８５】
操作部５３３は、ＦＡＸ５３０のオペレータより情報の入力を受け付けるテンキーやスタートキー等の入力装置である。
【０１８６】
ＮＣＵ５３４は、通信相手を呼び出すためにダイヤル信号を送出する処理を制御する。
【０１８７】
ここで、本実施形態においては、ＮＣＵ５３４は、ＩＴＵ−Ｔ  Ｔ．３０に定める「一般交換電話網における文書ファクシミリ電送手順」に従った電送を制御する。
【０１８８】
ＳＷ部５３５は、制御部５３１の指示に応じて、ＮＣＵ５３４と、モデム部５３６と、の間のスイッチングを行う。
【０１８９】
モデム部５３６は、スキャナー部５３９で読み取られた画像データの送信処理を行う。
【０１９０】
アナログポート５３７は、加入者回線用の機器を接続するためのインターフェースである。
【０１９１】
表示部５３８は、画像データや通信装置３１０が送信されてきたダイヤル番号等を表示する。
【０１９２】
スキャナー部５３９は、画像データの取り込みを行う。
【０１９３】
応答判定部５４０は、操作部５３３を介して入力された通信端末１７０の識別情報と、通信端末１７０から送られてくる当該通信端末１７０の識別情報と、を比較して、これらが一致しない場合には、呼制御部ＮＣＵ５３４に指示を出し、通信端末１７０との間の接続を切断する。
【０１９４】
なお、これらの識別情報が一致する場合には、応答判定部５４０は、このような切断処理を行わない。
【０１９５】
図１３は、ＦＡＸ５３０より発呼を行う際の処理を示すシーケンス図である。ここで、図１３のシーケンスでは、ＦＡＸ５３０のオペレータは、通信端末１７０にファクシミリ通信を行うものとし、通信端末１７０の電話番号は「２００」、識別情報（ＩＤ）は「１００１００」であるとする。
【０１９６】
まず、ＦＡＸ５３０の制御部５３１は、操作部５３３を介して、オペレータより番号「２００＊１００１００」の入力を受け付ける（Ｓ１１０）。ここで、本実施形態においては、ＦＡＸ５３０で入力する番号は、「［宛先の電話番号］＊［宛先の識別情報］」にされているが、このような態様に限定されず、宛先の電話番号と宛先の識別情報とを区別することのできる番号体系であればどのようなものであってもよい。例えば、宛先の電話番号が特定の桁数である場合には、「［宛先の電話番号］［宛先の識別情報］」としてこれらを連結してもよく（＊を削除）、また、宛先の識別情報が特定の桁数である場合には、例えば、「［宛先の識別情報］［宛先の電話番号］」としてこれらを連結してもよい（＊を削除）。さらに、本実施形態においては、宛先の電話番号と宛先の識別情報と、の間を区別するために「＊」を使用しているが、このような態様に限定されずこれらを区別することのできる記号や数字列、例えば、「♯」等を使用することも可能である。
【０１９７】
そして、ＦＡＸ５３０の制御部５３１は、ステップＳ１１０で入力された番号を表示部５３８に表示して、ダイヤルされた番号をＦＡＸ５３０のオペレータに通知して、操作部５３３を介して、送信開始の指示の入力を受け付ける（Ｓ１１１）。
【０１９８】
そして、ステップＳ１１１において、送信開始の指示の入力を受け付けると、ＦＡＸ５３０のＮＣＵ５３４は、オフフック信号を通信装置１１０に送信する（Ｓ１１２）。
【０１９９】
このようなオフフック信号を受信した通信装置１１０では、呼制御部１２２が、アナログ制御部１２１にＤＴ信号を送出するよう指示を出し、アナログ制御部１２１は、ＦＡＸ５３０が接続されているＳＬＩＣ１１２及びアナログポート１１１を介して、ＤＴ信号をＦＡＸ５３０に送信する（Ｓ１１３）。
【０２００】
そして、ＦＡＸ５３０の制御部５３１は、ダイヤルされた番号から宛先（通信端末１７０）の識別情報（ここでは、「１００１００」）を抽出して、記憶部５３２に記憶する（Ｓ１１４）。
【０２０１】
次に、ＦＡＸ５３０の制御部５３１は、入力された番号から宛先の電話番号（ここでは、「２００」）を抽出してＮＣＵ５３４に出力し、ＮＣＵ５３４が当該電話番号を特定するＰＢ信号を通信装置１１０に送信する（Ｓ１１５）。
【０２０２】
次に、ＦＡＸ５３０からダイヤルされた電話番号を受信した通信装置１１０では、呼制御部１２２が、ＷＡＮポート１２５を介して、受信した宛先の電話番号に発呼信号を送信する（Ｓ１１６）。
【０２０３】
このような発呼信号を受信した通信端末１７０は、通信装置１１０に着信信号を送信し（Ｓ１１７）、通信装置１１０の呼制御部１２２は受信した着信信号をＦＡＸ５３０に転送する（Ｓ１１８）。
【０２０４】
着信信号を受信したＦＡＸ５３０では、ＮＣＵ５３４が、ＣＮＧ信号を通信装置１１０に送信し（Ｓ１１９）、通信装置１１０の呼制御部１２２は受信したＣＮＧ信号を通信端末１７０に転送する（Ｓ１２０）。
【０２０５】
そして、通信端末１７０は、ＣＥＤ信号を通信装置１１０に送信し（Ｓ１２１）、通信装置１１０の呼制御部１２２は受信したＣＥＤ信号をＦＡＸ５３０に転送する（Ｓ１２２）。
【０２０６】
また、通信端末１７０は、ＮＦＳ信号に自端末の識別情報（ここでは、「１００１００」）を含めて、通信装置１１０に送信する（Ｓ１２３）。
【０２０７】
そして、通信装置１１０の呼制御部１２２は受信したＮＦＳ信号をＦＡＸ５３０に転送する（Ｓ１２４）。
【０２０８】
このようなＮＦＳ信号を受信したＦＡＸ５３０では、制御部５３１がＮＦＳ信号に含まれている通信端末１７０の識別情報を抽出し、応答判定部５４０に出力する。このような識別情報の入力を受けた応答判定部４２４は、入力された識別情報と、ステップＳ１１４で記憶した識別情報と、が一致するか否かを判定する（Ｓ１２５）。ここで、これらの識別情報が一致する場合には、制御部５３１は、ＩＴＵ−Ｔ  Ｔ．３０に定める「一般交換電話網における文書ファクシミリ電送手順」に従って電送を継続するが、ここでは、これらの識別情報は一致しないものとする。
【０２０９】
ステップＳ１０４において、識別情報が一致しない場合には、ＦＡＸ５３０の制御部５３１は、以降の呼制御を停止することで、回線を切断する（Ｓ１２６）。例えば、ＦＡＸ５３０からＤＳＣ信号等を通信端末１７０に送信しないようにすることで、通信端末１７０はタイムアウトにより回線を切断する（Ｓ１２７）。
【０２１０】
以上のように、本実施形態によれば、ファクシミリ通信の通信相手からの識別情報が、ＦＡＸ１３０のオペレータが入力した識別情報と一致しない場合には、通信が行われないため、通信装置１１０の誤認識等による誤送信を防止することができる。
【０２１１】
なお、以上に記載した実施形態においては、ＦＡＸ５３０のオペレータより識別情報の入力を受け付けたが、このような態様に限定されず、例えば、ＦＡＸ５３０の記憶部５３２に電話番号に対応する識別情報を予め記憶しておくことも可能である。
【０２１２】
なお、以上に記載した第五の実施形態におけるＦＡＸ５３０は、第一の実施形態ばかりでなく、第二〜第四の実施形態においても使用することができる。
【０２１３】
次に、第六の実施形態について説明する。
【０２１４】
本発明の第六の実施形態は、第一の実施形態と比較して、ＦＡＸが異なっているため、以下異なっている点に関連する事項について説明する。
【０２１５】
図１４は、第六の実施形態で使用されるＦＡＸ６３０の概略図である。
【０２１６】
図示するように、ＦＡＸ６３０は、制御部６３１と、記憶部６３２と、操作部６３３と、ＮＣＵ６３４と、ＳＷ部６３５と、モデム部６３６と、アナログポート６３７と、表示部６３８と、スキャナー部６３９と、第一のダイヤル認識部６４１と、第二のダイヤル認識部６４２と、比較部６４３と、を備える。
【０２１７】
制御部６３１は、ＦＡＸ６３０における処理の全体を制御する。特に、本実施形態においては、比較部６４３での検出結果を取得し、第一ダイヤル認識部６４１及び第二ダイヤル認識部６４２で認識された番号が異なる場合には、ダイヤルされた番号をキャンセルし、第一ダイヤル認識部６４１及び第二ダイヤル認識部６４２で認識された番号を表示部６３８に出力しない。
【０２１８】
記憶部６３２は、ＦＡＸ６３０での処理に必要な情報を記憶する。
【０２１９】
操作部６３３は、ＦＡＸ６３０のオペレータより情報の入力を受け付けるテンキーやスタートキー等の入力装置である。
【０２２０】
ＮＣＵ６３４は、通信相手を呼び出すためにダイヤル信号を送出する処理を制御する。
【０２２１】
ＳＷ部６３５は、制御部６３１の指示に応じて、ＮＣＵ６３４と、モデム部６３６と、の間のスイッチングを行う。
【０２２２】
モデム部６３６は、スキャナー部６３９で読み取られた画像データの送信処理を行う。
【０２２３】
アナログポート６３７は、加入者回線用の機器を接続するためのインターフェースである。
【０２２４】
表示部６３８は、画像データや操作部６３３を介して入力されたダイヤル番号等を表示する。
【０２２５】
スキャナー部６３９は、画像データの取り込みを行う。
【０２２６】
第一ダイヤル認識部６４１は、操作部６３３を介して入力された番号を認識し、比較部６４３に出力する。
【０２２７】
ここで、本実施形態においては、第一ダイヤル認識部６４１は、特定の周期で操作部６３３のボタンが押圧されたか否かを検出することにより、ダイヤルされた番号を検出する。
【０２２８】
第二ダイヤル認識部６４２は、操作部６３３を介して入力された番号を認識し、比較部６４３に出力する。
【０２２９】
ここで、本実施形態においては、第二ダイヤル認識部６４２は、第一ダイヤル認識部６４１とは異なる特定の周期で操作部６３３のボタンが押圧されたか否かを検出することにより、ダイヤルされた番号を検出する。
【０２３０】
なお、本実施形態においては、第一ダイヤル認識部６４１と第二ダイヤル認識部６４２の検出周期を変えるようにしているが、このような態様に限定されるわけではなく、例えば、検出周期及び検出回数をお互いに異なるようにすることも可能である。即ち、第一ダイヤル認識部６４１が検出する周期及び押圧を検知する閾値としての検知回数と、第二ダイヤル認識部６４２が検出する周期及び押圧を検知する閾値としての検知回数と、を各々異なるようにすることも可能である。
【０２３１】
比較部６４３は、第一ダイヤル認識部６４１が検出した番号と、第二ダイヤル認識部６５１が検出した番号と、を比較し、比較した結果を制御部６３８に出力する。
【０２３２】
図１５は、ＦＡＸ６３０において、操作部６３３を介してダイヤル番号が入力された際の処理を示すフローチャートである。
【０２３３】
まず、ＦＡＸ６３０では、操作部６３３を介して、オペレータよりダイヤルする番号の入力を一つずつ受け付ける（Ｓ１３０）。
【０２３４】
次に、ステップＳ１３０で入力を受け付けた番号を、一つずつ第一ダイヤル認識部６４１及び第二ダイヤル認識部６４２で認識する（Ｓ１３１）。
【０２３５】
そして、第一ダイヤル認識部６４１及び第二ダイヤル認識部６４２は、各々で認識した番号を、各々比較部６３４に出力し、比較部６４３においてこれらの番号を比較する（Ｓ１３３）。
【０２３６】
比較部６４３における比較結果において、これらの番号が一致しなかった場合には（ステップＳ１３３においてＮｏ）、制御部６３１は、ステップＳ１３０で入力を受け付けた番号を削除して、ステップＳ１３０に戻り処理を繰り返す。
【０２３７】
一方、比較部６４３における比較結果において、これらの番号が一致した場合には（ステップＳ１３３においてＹｅｓ）、制御部６３１は第一ダイヤル認識部３４１及び第二ダイヤル認識部６４２で認識された番号を表示部６３８に表示する（Ｓ１３４）。
【０２３８】
そして、制御部６３１の指示により、比較部６４３は、入力された番号をＮＣＵ６３４に出力する（Ｓ１３５）。
【０２３９】
次に、ＮＣＵ６３４は、比較部６４３より出力されてきた番号の桁数が予め定められた桁数に達しているか否かを確認し（Ｓ１３６）、達していない場合には（ステップＳ１３６でＮｏ）ステップＳ１３０に戻り処理を繰り返し、達している場合には（ステップＳ１３６でＹｅｓ）ステップＳ１３７に進む。
【０２４０】
ステップＳ１３７では、ＮＣＵ６３４は、特定の桁数に達した番号により発呼処理を行う。
【０２４１】
以上のように、本実施形態によれば、操作部６３３を介して入力されたオペレータの指示の誤検出を防止することができ、操作部６３３を介して入力されたダイヤル番号を誤認識して、誤送信してしまうことを防止することができる。
【０２４２】
なお、図１４に記載のＦＡＸ６３０は、通信装置１１０を介してネットワーク１８０に接続するようにしているが、このような態様に限定されず、ＦＡＸを直接ネットワーク１８０に接続することも可能である。この場合には、ＦＡＸを、例えば、図１６（ＦＡＸ７３０の概略図）に示すように構成すればよい。
【０２４３】
図示するように、ＦＡＸ７３０は、制御部６３１と、記憶部６３２と、操作部６３３と、表示部６３８と、スキャナー部６３９と、第一のダイヤル認識部６４１と、第二のダイヤル認識部６４２と、比較部６４３と、ＭＰＵ（Micro Processing Unit）７４４と、ＷＡＮポート７４５と、を備え、ＭＰＵ７４４及びネットワークポート７４５以外は図１４に示すＦＡＸ６３０と同様であるため、説明を省略する。
【０２４４】
ＭＰＵ７４４は、例えば、ＳＩＰに従った呼制御と、スキャナー部６３９から読み込んだ画像データの処理と、を行う。
【０２４５】
ＷＡＮポート７４５は、ネットワーク１８０を介して情報を送受信するためのインターフェースである。
【０２４６】
以上のような構成とすることにより、ＦＡＸ７３０は、ネットワーク１８０を介して直接ファクシミリ通信を行うことができるようになる。
【図面の簡単な説明】
【０２４７】
【図１】通信システムの概略図。
【図２】通信装置の概略図。
【図３】ＦＡＸより発呼を行う際の処理を示すシーケンス図。
【図４】ＦＡＸより発呼を行う際の処理の変形例を示すシーケンス図。
【図５】通信装置の概略図。
【図６】ＦＡＸより発呼を行う際の処理を示すシーケンス図。
【図７】通信装置の概略図。
【図８】ＦＡＸの概略図。
【図９】ＦＡＸより発呼を行う際の処理を示すシーケンス図。
【図１０】通信装置の概略図。
【図１１】ＦＡＸより発呼を行う際の処理を示すシーケンス図。
【図１２】ＦＡＸの概略図。
【図１３】ＦＡＸより発呼を行う際の処理を示すシーケンス図。
【図１４】ＦＡＸの概略図。
【図１５】ＦＡＸにおいて、操作部を介してダイヤル番号が入力された際の処理を示すフローチャート。
【図１６】ＦＡＸの概略図。
【符号の説明】
【０２４８】
１００  通信システム
１１０、２１０、３１０、４１０  通信装置
１１１  アナログポート
１１２  ＳＬＩＣ
１１３  第一ＰＢ信号認識部
１１４  コーデック
１１５  記憶部
１１７、２１７、３１７、４１７  制御部
１１８  全体制御部
１１９  第二ＰＢ信号認識部
１２０、２２０、３２０  比較部
１２１  アナログ制御部
１２２、２２２、３２２、４２２  呼制御部
１２３  通信制御部
４２４  応答判定部
１２５  ＷＡＮポート
２２６  スピーカ
１３０、３３０、５３０、６３０、７３０  ＦＡＸ
３３１、５３１、６３１  制御部
３３２、５３２、６３２  記憶部
３３３、５３３、６３３  操作部
３３４、５３４、６３４  ＮＣＵ
３３５、５３５、６３５  ＳＷ部
３３６、５３６、６３６  モデム部
３３７、５３７、６３７  アナログポート
３３８、５３８、６３８  表示部
３３９、５３９、６３９  スキャナー部
５４０  応答判定部
６４１  第一ダイヤル認識部
６４２  第二ダイヤル認識部
６４３  比較部
７４４  ＭＰＵ
７４５  ＷＡＮポート
【図１】
2010004291.tif 000003
【図２】
2010004291.tif 000004
【図３】
2010004291.tif 000005
【図４】
2010004291.tif 000006
【図５】
2010004291.tif 000007
【図６】
2010004291.tif 000008
【図７】
2010004291.tif 000009
【図８】
2010004291.tif 000010
【図９】
2010004291.tif 000011
【図１０】
2010004291.tif 000012
【図１１】
2010004291.tif 000013
【図１２】
2010004291.tif 000014
【図１３】
2010004291.tif 000015
【図１４】
2010004291.tif 000016
【図１５】
2010004291.tif 000017
【図１６】
2010004291.tif 000018